(57)【要約】【課題】装置のサイズを大きくすることなく、磁気効率を高めて位置制御の感度を向上させることができる対物レンズ駆動装置を提供する。【解決手段】対面する一対のマグネット６ａ・６ｂの間に、対物レンズ１を保持するレンズホルダ２を備え、そのレンズホルダ２にはフォーカスコイル３及びトラッキングコイル４ａ・４ｂが取り付けられた対物レンズ駆動装置において、フォーカスコイル３は、レンズホルダ２における対物レンズ１の光軸と平行な側面に設けられ、トラッキングコイル４ａ・４ｂは、各マグネット６ａ・６ｂと対向する位置に設けられている。さらに、マグネット６ａ・６ｂのそれぞれに対応する補助ヨーク９ａ・９ｂが、フォーカスコイル３を挟んで対物レンズ１と反対側の位置であり、かつ、フォーカスコイル３及びトラッキングコイル４ａ・４ｂよりも、対物レンズ１の光軸に近い位置に設けられている。【選択図】  図１
2004206807.tif 000002
【特許請求の範囲】
【請求項１】
対物レンズと、上記対物レンズを保持するレンズホルダと、上記レンズホルダに取り付けられ、当該レンズホルダをフォーカス方向あるいはトラッキング方向にそれぞれ移動させるためのフォーカスコイル及びトラッキングコイルと、上記レンズホルダを間に挟んで配置された対面する一対のマグネットとを備えた対物レンズ駆動装置において、
上記フォーカスコイルは、上記レンズホルダにおける上記対物レンズの光軸と平行な側面に設けられるとともに、
上記トラッキングコイルは、上記一対のマグネットのそれぞれに対向して配置されており、
さらに、上記一対のマグネットのそれぞれに対応する補助ヨークが、上記フォーカスコイルを挟んで上記対物レンズと反対側の位置であり、かつ、上記フォーカスコイル及び上記トラッキングコイルよりも、上記対物レンズの光軸に近い位置に設けられていることを特徴とする対物レンズ駆動装置。
【請求項２】
上記補助ヨークは、対面して設けられた上記一対のマグネットの対向領域の外に設けられていることを特徴とする請求項１に記載の対物レンズ駆動装置。
【請求項３】
上記補助ヨークの上記トラッキング方向の長さは、上記フォーカスコイルの上記トラッキング方向の長さよりも短く、かつ、上記補助ヨークは、上記トラッキングコイルの上記トラッキング方向における中央部に対応する位置に設けられていることを特徴とする請求項１または２に記載の対物レンズ駆動装置。
【請求項４】
請求項１ないし３の何れか１項に記載の対物レンズ駆動装置を搭載した情報記録再生装置。
【発明の詳細な説明】
【０００１】
【発明の属する技術分野】
本発明は、光ビームが対物レンズを介して記録媒体に集光することによって、情報を光学的に記録、再生、消去することができる情報記録再生装置に備えられ、上記対物レンズの位置制御（位置補正）を行う対物レンズ駆動装置に関するものである。
【０００２】
【従来の技術】
光ディスクを記録媒体として使用する情報記録再生装置に装備される光ピックアップでは、対物レンズから集光されたビームの微小スポットを光ディスクの記録面に正確に走査させるように補正する対物レンズ駆動装置が設けられている。この対物レンズ駆動装置は、対物レンズを保持しているレンズホルダを対物レンズの光軸方向（以下、フォーカス方向と称する）、及び光軸と直交する方向（以下、トラッキング方向と称する）に移動可能なように支持している。そして、上記対物レンズ駆動装置は、マグネットとコイルとを使用した駆動機構を用いて、対物レンズが上述の各方向へ駆動されるような構成をしている。
【０００３】
上記の駆動機構によって、対物レンズがフォーカス方向へ駆動されることによって、光ディスクの記録面にビームスポットの焦点を一致させるためのフォーカス補正が行われる。また、対物レンズがトラッキング方向へ駆動されることによって、光ディスクの記録面のトラックにビームスポットを追従させるためのトラッキング補正が行われる。
【０００４】
ところで、光ピックアップに備えられた対物レンズ駆動装置では、サーボの高帯域化に伴い、可動部の高剛性化が必要とされてきている。そのため、マグネットと対向する位置に対向ヨークを配置しない開磁気回路構成、すなわち、一方のマグネットと対面する位置に他方のマグネットを配置し、その間にレンズホルダ、及びフォーカス・トラッキングコイルを含む可動部を配置する対物レンズ駆動装置が考えられている。これにより、可動部に開口部などを設ける必要がなく、可動部の剛性向上が可能となる。
【０００５】
しかし、開磁気回路構成では、対向ヨークを配置する閉磁気回路構成と比較すると、マグネットから発生する磁束を有効に使うことができないため、磁気効率が悪く対物レンズ駆動装置の感度が低くなってしまうという問題がある。
【０００６】
このような問題を解決する対物レンズ駆動装置としては、例えば特許文献１に開示されたもの（以下、これを第１の従来技術と称する）がある。この対物レンズ駆動装置の構成は、図８（ａ）に示すように、開磁気回路構成であり、フォーカス方向及びトラッキング方向と直交する方向（以下、タンジェンシャル方向と称する）に可動部を挟んでマグネット２５が配置されている。この対面に配置されたマグネット２５と直角方向（つまり、トラッキング方向）の２辺には、それぞれマグネット２５の高さとほぼ同じ高さの棒状突起２２を配置して、磁気回路を形成している。この構成によって、マグネット２５から発生する磁力線は、棒状突起２２の方向に誘導されるため、フォーカスコイル２３及びトラッキングコイル２４への磁束密度が高くなり、磁気効率が向上する。
【０００７】
また、他の従来技術として、非特許文献１に開示されたもの（以下、これを第２の従来技術と称する）を挙げることができる。図９には、この対物レンズ駆動装置の断面図を示す。図９に示すように、この対物レンズ駆動装置も開磁気回路構成を有しており、マグネット３６が付設されたヨークは、マグネット３６のフォーカス方向上方、あるいは下方をマグネット３６と間隔を確保して覆うようにひさし状に突出された補助ヨーク３５を当接、あるいは連接している。これによって、マグネット３６から発生する磁力線の一部は、補助ヨーク３５へと誘導され、第１の従来技術と同様に、フォーカスコイル３３及び図示しないトラッキングコイルへの磁束密度が高まり、磁気効率を向上させることができる。
【０００８】
【特許文献１】
特開平１１−１４４２７０号公報（平成１１年５月２８日公開）
【０００９】
【非特許文献１】
実開平６−４９２１号公報（平成６年１月２１日公開）
【００１０】
【発明が解決しようとする課題】
しかし、第１の従来技術の対物レンズ駆動装置においては、棒状突起２２が対面するマグネット２５と直角方向の２辺の方向であるトラッキング方向に設けられ、棒状突起２２の方向にマグネットから発生した磁力線を誘導しているが、マグネット２５と対向しない側のフォーカスコイル２３の２辺は、フレミングの左手の法則により、マグネット２５と対向する２辺において発生する推力とは逆方向の推力が発生する。このため、磁力線を棒状突起２２の方向に誘導することで、マグネット２５と対向するフォーカスコイル２３の辺から発生する推力を増加させる一方、同時に逆方向の推力も増加させることになり、感度向上を効率的に行うことができない。
【００１１】
また、対物レンズ駆動装置のサイズという観点からも、上面から見た投影面積が、棒状突起を配置させる分だけトラッキング方向に大きくなってしまい、装置自体を小型化することができないという問題が生ずる。即ち、棒状突起２２の高さは、図８（ｂ）（第１の従来技術の対物レンズ駆動装置の側面図）及び図８（ｃ）（第１の従来技術の対物レンズ駆動装置の断面図）から分かるように、マグネット２５の高さとほぼ同じとなり、他部品と干渉するのを防ぐために、トラッキング方向の幅を広げなければならない。
【００１２】
このようにトラッキング方向の幅を広げた対物レンズ駆動装置によって、記録媒体の内周側、あるいは外周側の情報の読み取りあるいは記録を行う場合に、対物レンズ駆動装置全体を記録媒体のカートリッジの窓内に収めようとすると、窓枠と装置とが干渉しないように窓枠を拡大する必要がある。このようにカートリッジの窓枠を拡大すると、カートリッジの剛性が低下してしまうという問題も発生する。
【００１３】
第２の従来技術の対物レンズ駆動装置においては、マグネット３３との間隔を確保して、当該マグネット３３を覆うようにひさし状に補助ヨーク３５を形成して、マグネットから発生した磁力線を補助ヨーク３５に誘導している。しかし、この構成では、補助ヨーク３５とマグネット３３との間にフォーカスコイル３３及びトラッキングコイルが位置していないため、フォーカスコイル３３及びトラッキングコイルに作用する磁束密度を有効に高めることができない。それゆえ、対物レンズ駆動装置の感度を効率良く向上させることができない。
【００１４】
本発明は、上記の問題点に鑑みてなされたものであって、装置のサイズを大きくすることなく、磁気効率を高めて位置制御の感度を向上させることができる対物レンズ駆動装置、及びそれを備えた情報記録再生装置を提供することを目的とする。
【００１５】
【課題を解決するための手段】
本発明の対物レンズ駆動装置は、上記の課題を解決するために、対物レンズと、上記対物レンズを保持するレンズホルダと、上記レンズホルダに取り付けられ、当該レンズホルダをフォーカス方向あるいはトラッキング方向にそれぞれ移動させるためのフォーカスコイル及びトラッキングコイルと、上記レンズホルダを間に挟んで配置された対面する一対のマグネットとを備えた対物レンズ駆動装置において、上記フォーカスコイルは、上記レンズホルダにおける上記対物レンズの光軸と平行な側面に設けられるとともに、上記トラッキングコイルは、上記一対のマグネットのそれぞれに対向して配置されており、さらに、上記一対のマグネットのそれぞれに対応する補助ヨークが、上記フォーカスコイルを挟んで上記対物レンズと反対側の位置であり、かつ、上記フォーカスコイル及び上記トラッキングコイルよりも、上記対物レンズの光軸に近い位置に設けられていることを特徴とするものである。
【００１６】
本発明の対物レンズ駆動装置は、対物レンズによって集光された光ビームによって記録媒体に対して情報の記録、再生、消去を行う情報記録再生装置などに備えられ、上記対物レンズを記録媒体の記録面に正確に走査させるために、対物レンズを位置補正するものである。この対物レンズ駆動装置には、対物レンズとそれを保持するレンズホルダとが備えられており、当該レンズホルダには、上記レンズホルダがフォーカス方向及びトラッキング方向に駆動されるように、フォーカスコイル及びトラッキングコイルが取り付けられている。上記レンズホルダは、対面する一対のマグネットの間に挟まれて配置されており、このマグネットによって得られる磁界の作用によって、フォーカスコイル及びトラッキングコイルに力が働き、レンズホルダを駆動することができる。
【００１７】
上述の対物レンズ駆動装置において、上記フォーカスコイルは上記レンズホルダにおける上記対物レンズの光軸と平行な側面に設けられている。一方、トラッキングコイルは、対面する一対のマグネットの間に位置し、それぞれに対向するように配置されている。
【００１８】
そして、上記対物レンズ駆動装置には、上記一対のマグネットのそれぞれに対応する補助ヨークが設けられている。ここで、「補助ヨークがマグネットに対応している」とは、マグネットから発生した磁力線が補助ヨークに誘導され、補助ヨークで当該磁力線を受けるということ意味する。
【００１９】
本発明において、この補助ヨークが設けられる位置は、上記フォーカスコイルを挟んで上記対物レンズと反対側の位置であり、かつ、上記フォーカスコイル及び上記トラッキングコイルよりも、上記対物レンズの光軸に近い位置である。より具体的には、上記レンズホルダの対物レンズが設けられた側を上とした場合、上記補助ヨークは、一対の対面するマグネット同士の間で、かつフォーカスコイル及びトラッキングコイルの下方及び内側に配置されている。つまり、マグネットと補助ヨークとの間に、フォーカスコイルの一部及びトラッキングコイルが位置すると言うこともできる。
【００２０】
上記の構成によれば、フォーカスコイル、及びトラッキングコイルのマグネットと対向する有効面に対して、マグネットから発生した磁力線を確実に誘導できる。フォーカスコイルに関して言えば、マグネットと対向するフォーカスコイルの辺に作用する磁束密度を増加させ、マグネットとは対向しないフォーカスコイルの辺に作用する磁束密度を低下させることができる。この作用によって、マグネットと対向する辺で発生する力（即ち、フォーカス駆動に有効な力）が増加し、その力とは逆方向の力が減少するため、対物レンズ駆動装置としてのフォーカス方向の推力が上昇し、結果的にフォーカス補正における感度の向上につながる。
【００２１】
さらに、本発明の対物レンズ駆動装置においては、装置のトラッキング方向の長さを大きくすることなく補助ヨークを配置しているため、装置全体のサイズが大型化することを防止することができる。このように、上記対物レンズ駆動装置は、これまでと同等のサイズ内で、磁気効率を高めて位置制御の感度を向上させることができるものである。
【００２２】
上記対物レンズ駆動装置において、上記補助ヨークは、対面して設けられた上記一対のマグネットの対向領域の外に設けられていてもよい。
【００２３】
ここで、上記一対のマグネットの対向領域とは、対面して設けられた２つのマグネット同士の間の空間部分のことを意味する。それゆえ、上記一対のマグネットの対向領域の外とは、上記空間部分に干渉しない位置のことを意味する。より具体的には、上記補助ヨークは、上記レンズホルダの対物レンズが設けられた側を上面とした場合、当該上面とは逆の面、即ち、上記レンズホルダの下面に対向する位置に設けられることが好ましいと言うこともできる。
【００２４】
上記の構成によれば、レンズホルダなどに設けられた他部品との干渉を防ぐことができるとともに、フォーカスコイル及びトラッキングコイルへの磁気密度をより高め、磁気効率を向上させることができる。
【００２５】
また、上記対物レンズ駆動装置は、閉磁気回路構成のように、レンズホルダに開口部を設けて挿入する、あるいはコイルの中空部分に挿入するといった構成を取ることなく磁気効率を向上させることができる。そのため、対物レンズ駆動装置の可動部の高剛性化を図ることができ、高帯域サーボにも対応可能となる。
【００２６】
上記の対物レンズ駆動装置において、上記補助ヨークの上記トラッキング方向の長さは、上記フォーカスコイルの上記トラッキング方向の長さよりも短く、かつ、上記補助ヨークは、上記トラッキングコイルの上記トラッキング方向における中央部に対応する位置に設けられていることが好ましい。
【００２７】
上記の構成によれば、マグネットから発生した磁力線がトラッキングコイルの中央部分の補助ヨークに誘導され、マグネットに対向しないフォーカスコイルの一部（辺）へ作用する磁束密度がさらに低下する。これによって、マグネットと対向するフォーカスコイルの辺から発生する力とは逆方向の力が減少し、対物レンズ駆動装置の推力をより上昇させることができる。また、トラッキングコイルに関してもトラッキング駆動に有効な力とは逆方向の力を発生させる外側の部分に作用する磁束を低下することができる。そのため、対物レンズ駆動装置のトラッキング方向の推力を上昇させることもできる。これらの効果によって、対物レンズ駆動装置全体としての感度を向上させることができる。
【００２８】
なお、上述の「上記フォーカスコイルの上記トラッキング方向の長さ」とは、フォーカスコイルがマグネットコイルと対向している側面のトラッキング方向の長さのことを意味する。
【００２９】
本発明の情報記録再生装置は、上述の対物レンズ駆動装置を搭載したものである。
【００３０】
即ち、本発明の情報記録再生装置は、光ディスクなどの記録媒体に対物レンズによって集光された光ビームを照射することによって、情報を光学的に記録、再生、消去するものであり、上記記録媒体に対して上記対物レンズを該対物レンズの光軸方向（即ち、フォーカス方向）及び光軸に直行する方向（即ち、トラッキング方向）に駆動し、対物レンズの位置制御（位置補正）を行う補正駆動手段として、上述の対物レンズ駆動装置を搭載しているものである。
【００３１】
上記情報記録再生装置には、従来と同等のサイズ内で、高剛性及び高感度を有する上述の対物レンズ駆動装置が搭載されているため、装置自体を大型化することなく、高性能かつ低消費電力化を実現することができる。
【００３２】
【発明の実施の形態】
〔実施の形態１〕
本発明の実施の一形態について、図１ないし図４に基づいて以下に説明する。なお、本発明はこの記載に限定されるものではない。
【００３３】
本実施の形態に係る対物レンズ駆動装置は、光ディスクなどの記録媒体に光ビームを照射することによって、情報を光学的に記録、再生、消去することができる情報記録再生装置に備えられるものである。そして、上記対物レンズ駆動装置は、一対のマグネットが対面するように配置され、その間にレンズホルダ、及びフォーカス・トラッキングコイルを含む可動部が配置されるという開磁気回路構成を有している。
【００３４】
上記対物レンズ駆動装置の構成を図１（ａ）及び（ｂ）に示す。この対物レンズ駆動装置は、大きく分けて対物レンズ１が取り付けられたレンズホルダ２と、上記レンズホルダ２を移動可能に支持する弾性支持部材５が取り付けられたベース７とから構成されている。
【００３５】
レンズホルダ２には、対物レンズ１をフォーカス方向（図１（ｂ）中、矢印Ｆで示す方向）へ駆動させるためのフォーカスコイル３と、対物レンズ１をトラッキング方向（図１（ａ）中、矢印Ｔで示す方向）へ駆動させるためのトラッキングコイル４ａ・４ｂとが取り付けられている。本実施の形態においては、上記フォーカスコイル３は、直方体形状のレンズホルダ２の対物レンズ１が配されていない側面四方を帯状に包囲するように形成されている。一方、上記トラッキングコイル４ａ・４ｂは、レンズホルダ２のフォーカスコイル３が取り付けられた側面のうち、トラッキング方向及びフォーカス方向に平行な２つの側面に、それぞれ設けられている。上記トラッキングコイル４ａ・４ｂは、上記フォーカスコイル３の巻回方向と直交するようにコイルを形成している。そして、片方の側面には、２個のトラッキングコイル４ａがトラッキング方向に並んで設けられており、もう一方の側面には、２個のトラッキングコイル４ｂがトラッキング方向に並んで設けられている。
【００３６】
このレンズホルダ２は、フォーカス方向及びトラッキング方向に移動可能なように弾性支持部材５で支持されているが、この弾性支持部材５はそれぞれのコイルに電流を供給する給電部材としての役割も果たしている。
【００３７】
ベース７には、マグネット６ａ・６ｂをそれぞれ固着させるための２つのヨーク８ａ・８ｂが設けられているとともに、各マグネット６ａ・６ｂに対応するように補助ヨーク９ａ・９ｂがそれぞれ設けられており、マグネット６ａ・６ｂからの磁力線が補助ヨーク９ａ・９ｂへと誘導される。なお、各マグネット６ａ・６ｂは、図１（ａ）、（ｂ）に示すように、各トラッキングコイル４ａ・４ｂと対向する位置に設けられている。また、ここで便宜上、フォーカスコイル３によって覆われたレンズホルダ２の４つの側面うち、マグネット６ａ・６ｂに対向する側面のフォーカスコイルの一部（辺）を３−１とし、マグネット６ａ・６ｂに対向しない側面のフォーカスコイルの一部（辺）を３−２とする。
【００３８】
図２には、ベース７におけるヨーク８ａ・８ｂ及び補助ヨーク９ａ・９ｂのより具体的な形状を示す。上記ベース７においては、両端にヨーク８ａ・８ｂが立設されている。さらに、ベース７には、図示しない弾性支持部材５が取り付けられている。また、ベース７の底面の中央部であり、レンズホルダ２に対応する位置には窪みが設けられ、その窪みから補助ヨーク９ａ・９ｂが各マグネット６ａ・６ｂに対応するように突出している。２本の補助ヨーク９ａ・９ｂは、トラッキング方向に延在するように平行に形成されている。そして、２本の補助ヨーク９ａ・９ｂは、図１（ｂ）に示すように、トラッキングコイルの２辺３−１・３−１よりも内側に設けられている。なお、本実施の形態においては、上記補助ヨークは２個であるが、本発明はこれに限定されることなく、２個以上の補助ヨークが、各マグネットに対応するように設けられていてもよい。
【００３９】
以上のように、上記対物レンズ駆動装置においては、各マグネット６ａ・６ｂに対応する補助ヨーク９ａ・９ｂが、レンズホルダ２の下部に設けられたベース７上に形成されている。即ち、上記補助ヨーク９ａ・９ｂは、フォーカスコイル３を間に挟んで対物レンズ１と反対側の位置に設けられていると言える。さらに、各補助ヨーク９ａ・９ｂは、各マグネット６ａ・６ｂに対して各トラッキングコイル４ａ・４ｂ及びフォーカスコイルの辺３−１よりも内側に形成されている。即ち、各補助ヨーク９ａ・９ｂは、各トラッキングコイル４ａ・４ｂ及びフォーカスコイルの辺３−１よりも、対物レンズ１の光軸に近い位置に設けられていると言える。上記対物レンズ駆動装置は、このような構成を有することによって、マグネット６ａ・６ｂから発生した磁力線を、トラッキングコイル４ａ・４ｂ及びフォーカスコイルの辺３−１を通過させた後に、補助ヨーク９ａ・９ｂに誘導することができる。
【００４０】
さらに、上記対物レンズ駆動装置において、上記補助ヨーク９ａ・９ｂの上端は、マグネット６ａ・６ｂのフォーカス方向の下辺以下になるように形成されていることが好ましい。即ち、上記補助ヨーク９ａ・９ｂの高さは、対面するマグネット６ａ・６ｂの対向領域に干渉しない高さであることが好ましい。これによって、上記補助ヨーク９ａ・９ｂが装置内の他部品の邪魔となることを防ぐことができるとともに、フォーカスコイルの辺３−１及びトラッキングコイル４ａ・４ｂへ、より確実に磁力線誘導することができるため、磁気効率を向上させることができる。
【００４１】
続いて、上記対物レンズ駆動装置の動作について説明する。光ディスクの記録面にビームスポットの焦点を一致させるためのフォーカス補正の場合には、フォーカスコイル３に電流を供給すると、マグネット６ａ・６ｂの磁界作用によって、レンズホルダ２はフォーカス方向（図１（ｂ）中、Ｆ方向）に駆動される。また、光ディスクの記録面のトラックにビームスポットを追従させるためのトラッキング補正の場合には、トラッキングコイル４ａ・４ｂに電流が供給されると、マグネット６ａ・６ｂの磁界作用によって、レンズホルダ２はトラッキング方向（図１（ａ）中、Ｔ方向）に駆動される。
【００４２】
上記対物レンズ駆動装置において、マグネット６ｂから発生する磁力線は、図３中の矢印で示すように、補助ヨーク９ｂに誘導される。また、マグネット６ａから発生する磁力線についても同様に、補助ヨーク９ａに誘導される。
【００４３】
上記対物レンズ駆動装置の構成においては、上記補助ヨーク９ａ・９ｂが、一対の対面するマグネット６ａ・６ｂの間で、かつ、フォーカスコイル３及びトラッキングコイル４ａ・４ｂより内側に配置されている。即ち、マグネット６ａと補助ヨーク９ａとの間には、フォーカスコイルの辺３−１及びトラッキングコイル４ａが位置し、マグネット６ｂと補助ヨーク９ｂとの間には、フォーカスコイルのもう一つの辺３−１及びトラッキングコイル４ｂが位置する。そのため、マグネット６ａ・６ｂに対向する各フォーカスコイルの辺３−１・３−１に作用する磁束密度は向上し、マグネット６ａ・６ｂに対向しないフォーカスコイルの辺３−２・３−２へ作用する磁束密度は減少する。
【００４４】
ここで、マグネット６ａ・６ｂに対向するフォーカスコイルの辺３−１・３−１から発生する力の方向を（＋）とすると、マグネット６ａ・６ｂに対向しないフォーカスコイルの辺３−２・３−２から発生する力は（−）である。すなわち、フォーカスコイルの辺３−２・３−２から発生する力は、第１の従来技術と同様に、フォーカスコイルの辺３−１・３−１から発生する力とは逆方向である。従って、フォーカスコイルの辺３−２・３−２から発生する力は、フォーカス駆動において有効な力（即ち、フォーカスコイルの辺３−１・３−１から発生する力）に対してロス要因として働く。
【００４５】
しかしながら、本発明における対物レンズ駆動装置においては、図１（ｂ）に示すように、補助ヨーク９ａ・９ｂが一対のマグネット６ａ・６ｂの対向領域内に設けられたフォーカスコイル３の下部に配置されている。即ち、上記補助ヨーク９ａ・９ｂは、対面する一対のマグネット６ａ・６ｂの対向領域の外側であり、かつ、フォーカスコイル３の下部であるベース７上に設けられている。そのため、マグネット６ｂから生成した磁力線は、例えば図３に示すように、補助ヨーク９ｂに向かって誘導され、一対のマグネット６ａ・６ｂの対向領域外（即ち、マグネット６ａ・６ｂと対向しないフォーカスコイルの辺３−２）に向かう磁力線の数が著しく減少する。
【００４６】
これによって、補助ヨーク９ａ・９ｂとマグネット６ａ・６ｂとの間に配設されたフォーカスコイルの辺３−１・３−１に作用する磁力線の数が、第１及び第２の従来技術に比べて増加し、フォーカスコイルの辺３−２・３−２に作用する磁力線の数が減少する。
【００４７】
そのため、マグネット６ａ・６ｂに対向するフォーカスコイルの辺３−１・３−１から発生する力は増加し、マグネット６ａ・６ｂに対向しないフォーカスコイルの辺３−２・３−２から発生する力は減少する。このように、フォーカス駆動において有効な力が増加し、その逆方向の力が減少することで、対物レンズ駆動装置の推力が上昇するとともに、感度も上昇する。
【００４８】
また、上記の構成によれば、補助ヨーク９ａ・９ｂはレンズホルダ２のフォーカス方向下側に位置するため、図８に示す第１の従来技術のようにトラッキング方向に面積が拡大することがない。また、補助ヨーク９ａ・９ｂの高さについても、マグネット６ａ・６ｂのフォーカス方向の下辺以下である。そのため、対物レンズ駆動装置自体の高さを大きくすることがなく、さらには、他部材との干渉がなく、従来と同程度の装置サイズ内で磁気効率を向上させ、高感度の対物レンズ駆動装置を実現することが可能となる。
【００４９】
ここで、図４（ａ）には、本発明の対物レンズ駆動装置が情報の記録又は読み取りを行うために、記録媒体１５を覆うカートリッジ１６に挿入される場合の様子を示す。また、図４（ｂ）には、比較のために第１の従来技術における対物レンズ駆動装置が、記録媒体１５を覆うカートリッジ１６に挿入される場合の様子を示す。図４（ａ）と（ｂ）とを比較すれば分かるように、本発明の対物レンズ駆動装置は、上述のように、第１の従来技術と比較してトラッキング方向に面積が拡大していないため、対物レンズ駆動装置が内周側、あるいは外周側に移動した場合にも、窓枠と干渉する部分がなくなる。そのため、窓形状を拡大することなくカートリッジの剛性を低下させることはない。
【００５０】
さらに、光ピックアップが記録媒体の最内周位置に移動した場合においても、記録媒体を回転させるスピンドルモータに接近することが可能であり、記録媒体の記録可能面積を広げ、記録容量を増加させることができる。また、対物レンズ駆動装置を備える光ピックアップ自体もトラッキング方向に小型化が可能であり、それに伴いスピンドルの大型化、高トルク化が容易となるため、装置全体の低消費電力化にもつながる。
【００５１】
また、上記対物レンズ駆動装置においては、フォーカスコイル３及びトラッキングコイル４ａ・４ｂを挟み込むように、マグネット６ａ・６ｂと補助ヨーク９ａ・９ｂとが配置されている。そのため、マグネット６ａ・６ｂから発生した磁力線を効率良くそれぞれのコイルに作用させることができる。上記対物レンズ駆動装置においては、第２の従来技術における対物レンズ駆動装置のひさし状の補助ヨーク３５と比較して、マグネット６ａ・６ｂと対向する位置にあるフォーカスコイルの辺３−１及びトラッキングコイル４ａ・４ｂに働く磁束の垂直成分を、より多く得ることが可能となる。これによって、さらに高感度の対物レンズ駆動装置を実現することができる。
【００５２】
〔実施の形態２〕
本発明の他の実施の形態について、図５ないし図７に基づいて以下に説明するが、本発明はこの記載に限定されるものではない。本実施の形態においては、補助ヨークを除く構成部材については、実施の形態１における対物レンズ駆動装置と同じであるため、便宜上同じ部材番号を付すとともに、その説明については省略する。
【００５３】
図５は、実施の形態２に係る対物レンズ駆動装置の構成を示す平面図である。この対物レンズ駆動装置は、補助ヨーク１０ａ・１０ｂを除く構成部材については、図１（ａ）に示す実施の形態１に係る対物レンズ駆動装置と同様の構成となっている。そして、実施の形態１における対物レンズ駆動装置の補助ヨーク９ａ・９ｂのトラッキング方向の長さが、フォーカスコイル３のトラッキング方向の長さとほぼ同じになっているのに対して、上記補助ヨーク１０ａ・１０ｂのトラッキング方向の長さは、フォーカスコイル３のトラッキング方向の長さよりも短くなっている。それに加えて、上記補助ヨーク１０ａ・１０ｂは、トラッキングコイル４ａ・４ｂのトラッキング方向の中央部分に形成されている。
【００５４】
図６には、上記補助ヨーク１０ａ・１０ｂが形成されたベース７の具体的な形状を示す。上記ベース７においては、実施の形態１と同様に、両端にヨーク８ａ・８ｂが設けられるとともに、底面の中央部であり、レンズホルダ２に対応する位置には窪みが形成されている。そして、上記窪みからは、補助ヨーク１０ａ・１０ｂが各マグネット６ａ・６ｂに対応するように突出している。なお、実施の形態１におけるベース７では、補助ヨーク９ａ・９ｂの長さは、トラッキング方向の窪みの長さと同じになっているのに対して、本実施の形態２におけるベース７では、補助ヨーク１０ａ・１０ｂのトラッキング方向の長さは、上記窪みのトラッキング方向の長さよりも短くなっている。
【００５５】
図７には、図５に示す対物レンズ駆動装置の一部分の平面図を示す。図７では、マグネット６ｂから発生する磁力線を矢印で示している。本実施の形態２に係る対物レンズ駆動装置においては、図７に示すように、マグネット６ｂから発生した磁力線が、トラッキング方向の中央部にフォーカスコイルの辺３−１の中央部（即ち、２つのトラッキングコイル４ｂ・４ｂの中央部）に形成された補助ヨーク１０ｂに誘導される。なお、図示はしないが、マグネット６ａ側においても、上述のマグネット６ｂの場合と同様に、マグネット６ａから発生した磁力線が、トラッキング方向の中央部にフォーカスコイルの辺３−１の中央部（即ち、２つのトラッキングコイル４ａ・４ａの中央部）に形成された補助ヨーク１０ａに誘導される。
【００５６】
上記の構成によれば、マグネット６ａ・６ｂに対向しないフォーカスコイルの辺３−２には、より磁束が作用しない構成とすることができる。そのため、マグネット６ａ・６ｂに対向しないフォーカスコイルの辺３−２から発生する力が減少し、対物レンズ駆動装置のフォーカス方向の推力を上昇させることができる。また、上記の構成によれば、トラッキングコイル４ａ・４ｂにおいても、トラッキング駆動に有効な力とは逆方向の力を発生させる外側の部分に作用する磁束を低下することができる。そのため、対物レンズ駆動装置のトラッキング方向の推力を上昇させることもできる。これらの効果によって、対物レンズ駆動装置全体としての感度を向上させることができる。
【００５７】
ここで、補助ヨーク１０ａ・１０ｂのトラッキング方向の長さと、フォーカスコイル３のトラッキング方向の長さとの関係について言及する。以下、補助ヨーク１０ａ・１０ｂのトラッキング方向の長さをＡとし、フォーカスコイル３のトラッキング方向の長さをＢとする。
【００５８】
まず、マグネット６ａ・６ｂのトラッキング方向の長さが、図７に一例として示したように、フォーカスコイル３のトラッキング方向の長さＢとほぼ同程度である場合を考える。
【００５９】
本発明の主旨は、マグネットから生成する磁力線が、コイル３の辺３−１に対し多く作用するようにし、また、フォーカスコイル３の辺３−２に対してはなるべく作用させないように、マグネット６、補助ヨーク１０、コイル３を構成することである。フォーカスコイル３の辺３−１に対し磁力線を多く作用させるためには、補助ヨーク１０ａ・１０ｂのトラッキング方向の長さＡは、フォーカスコイル３のトラッキング方向の長さＢとほぼ同程度となるようにできるだけ大きく設定することが望ましい。一方、フォーカスコイル３の辺３−２に対して磁力線をできるだけ作用させないようにするためには、補助ヨーク１０ａ・１０ｂのトラッキング方向の長さＡは、できるだけ小さい方が望ましい。
【００６０】
以上のことから、補助ヨーク１０ａ・１０ｂのトラッキング方向の長さＡには、最適値が存在することが推測され、マグネットの磁界強度、補助ヨーク材質、マグネット−補助ヨーク間の距離等の影響を加味し、適宜設定すればよい。これによれば、マグネット６ａ・６ｂから生成された磁力線をより効果的にフォーカスコイル３の辺３−１、及びトラッキングコイル４ａ・４ｂの中央部に集めることができる。そして、フォーカス駆動あるいはトラッキング駆動に有効な方向の力を増加させ、それと逆方向の力を減少させることによって、対物レンズ駆動装置の推力をより上昇させるとともに、感度をより向上させることができる。ここで、この場合の最適な補助ヨーク１０ａ・１０ｂのトラッキング方向の長さをＡ’とする。
【００６１】
続いて、マグネット６ａ・６ｂのトラッキング方向の長さが、フォーカスコイル３のトラッキング方向の長さＢよりも大きい場合について考える。この場合、補助ヨーク１０ａ・１０ｂのトラッキング方向の長さＡに、上記最適な補助ヨーク１０ａ・１０ｂのトラッキング方向の長さＡ’をそのまま用いると、マグネット６ｂ→コイル３の辺３−２→補助ヨーク１０ｂの経路で磁力線が生成し、逆方向の推力が発生するおそれがある。
【００６２】
したがって、マグネット６ｂ→コイル３の辺３−２→補助ヨーク１０ｂの経路で磁力線が生成しないようにするためには、補助ヨーク１０ａ・１０ｂのトラッキング方向の長さＡを、上記最適な補助ヨーク１０ａ・１０ｂのトラッキング方向の長さＡ’よりも小さく設定することが好ましい。
【００６３】
また、マグネット６ａ・６ｂのトラッキング方向の長さが、フォーカスコイル３のトラッキング方向の長さＢよりも小さい場合には、補助ヨーク１０ａ・１０ｂのトラッキング方向の長さＡに、上記最適な補助ヨーク１０ａ・１０ｂのトラッキング方向の長さＡ’をそのまま用いると、コイル３の辺３−１に作用する磁力線が減少し、正規の推力が発生しないおそれがある。この問題点を解決するためには、コイル３の辺３−１に磁力線が多く作用するように、補助ヨーク１０ａ・１０ｂのトラッキング方向の長さＡを、上記最適な補助ヨーク１０ａ・１０ｂのトラッキング方向の長さＡ’よりも大きく設定することが好ましい。そして、その上限値は、補助ヨーク１０ａ・１０ｂをフォーカスコイル３の内部に収容するという物理的な条件から制約される。
【００６４】
上述の実施の形態１及び２に係る対物レンズ駆動装置は、可動部の高剛性を維持しつつ、対向ヨークがない開磁気回路構成でありながら、従来の対物レンズ駆動装置と比較して感度を向上させることができる。したがって、上記対物レンズ駆動装置を搭載した情報記録再生装置は、高性能化および低消費電力化を実現することができる。
【００６５】
【発明の効果】
以上のように、本発明の対物レンズク駆動装置は、対物レンズと、上記対物レンズを保持するレンズホルダと、上記レンズホルダに取り付けられ、当該レンズホルダをフォーカス方向あるいはトラッキング方向にそれぞれ移動させるためのフォーカスコイル及びトラッキングコイルと、上記レンズホルダを間に挟んで配置された対面する一対のマグネットとを備えた対物レンズ駆動装置において、上記フォーカスコイルは、上記レンズホルダにおける上記対物レンズの光軸と平行な側面に設けられるとともに、上記トラッキングコイルは、上記一対のマグネットのそれぞれに対向して配置されており、さらに、上記一対のマグネットのそれぞれに対応する補助ヨークが、上記フォーカスコイルを挟んで上記対物レンズと反対側の位置であり、かつ、上記フォーカスコイル及び上記トラッキングコイルよりも、上記対物レンズの光軸に近い位置に設けられていることを特徴とするものである。
【００６６】
上記の構成によれば、フォーカスコイル、及びトラッキングコイルのマグネットと対向する有効面に対して、マグネットから発生した磁力線を確実に誘導できる。さらに、上記対物レンズ駆動装置においては、装置のトラッキング方向の長さを大きくすることなく補助ヨークを配置しているため、装置全体のサイズが大型化することを防止することができる。このように、本発明の対物レンズ駆動装置は、これまでと同等のサイズ内で、磁気効率を高めて位置制御の感度を向上させることができるものである。
【００６７】
上記の対物レンズ駆動装置において、上記補助ヨークは、対面して設けられた上記一対のマグネットの対向領域の外に設けられていてもよい。
【００６８】
上記の構成によれば、レンズホルダなどに設けられた他部品との干渉を防ぐことができるとともに、フォーカスコイル及びトラッキングコイルへの磁気密度をより高め、磁気効率を向上させることができる。
【００６９】
また、上記対物レンズ駆動装置は、閉磁気回路構成のように、レンズホルダに開口部を設けて挿入する、あるいはコイルの中空部分に挿入するといった構成を取ることなく磁気効率を向上させることができる。そのため、対物レンズ駆動装置の可動部の高剛性化を図ることができ、高帯域サーボにも対応可能となる。
【００７０】
上記の対物レンズ駆動装置において、上記補助ヨークの上記トラッキング方向の長さは、上記フォーカスコイルの上記トラッキング方向の長さよりも短く、かつ、上記補助ヨークは、上記トラッキングコイルの上記トラッキング方向における中央部に対応する位置に設けられていることが好ましい。
【００７１】
上記の構成によれば、対物レンズ駆動装置のフォーカス方向及びトラッキング方向両方の推力を上昇させることができる。これによって、対物レンズ駆動装置全体としての感度を向上させることができる。
【００７２】
また、本発明の情報記録再生装置は、上述の対物レンズ駆動装置を搭載することを特徴とするものである。
【００７３】
上記情報記録再生装置には、従来と同等のサイズ内で、高剛性及び高感度を有する上述の対物レンズ駆動装置が搭載されているため、装置自体を大型化することなく、高性能かつ低消費電力化を実現することができる。
【図面の簡単な説明】
【図１】（ａ）は、本発明の実施の一形態に係る対物レンズ駆動装置の構成を示す平面図である。（ｂ）は、（ａ）に示す対物レンズ駆動装置の側面図である。
【図２】図１（ａ）に示す対物レンズ駆動装置に設けられた、ヨーク及び補助ヨークを含むベースを示す斜視図である。
【図３】図１（ａ）に示す対物レンズ駆動装置の一部分の断面図であって、マグネットからの磁束の流れを示すものである。
【図４】（ａ）は、図１（ａ）に示す対物レンズ駆動装置が記録媒体のカートリッジに挿入されている状態を示す模式図である。（ｂ）は、第１の従来技術に係る対物レンズ駆動装置が記録媒体のカートリッジに挿入されている状態を示す模式図である。
【図５】本発明の他の実施形態に係る対物レンズ駆動装置の構成を示す平面図である。
【図６】図５に示す対物レンズ駆動装置に設けられた、ヨーク及び補助ヨークを含むベースを示す斜視図である。
【図７】図５に示す対物レンズ駆動装置の一部分の平面図であって、マグネットからの磁束の流れを示すものである。
【図８】（ａ）は、第１の従来技術における対物レンズ駆動装置の構成を示す平面図である。（ｂ）は、（ａ）に示す対物レンズ駆動装置の側面図であり、（ｃ）は、（ａ）に示す対物レンズ駆動装置の断面図である。
【図９】第２の従来技術における対物レンズ駆動装置の構成を示す断面図である。
【符号の説明】
１・２１・３１    対物レンズ
２    レンズホルダ
３・２３・３３    フォーカスコイル
４ａ・４ｂ・２４    トラッキングコイル
５    弾性支持部材
６ａ・６ｂ・２５・３６    マグネット
７    ベース
８ａ・８ｂ    ヨーク
９ａ・９ｂ・１０ａ・１０ｂ・３５    補助ヨーク
１５    記録媒体
１６    カートリッジ
２２    棒状突起
【図１】
2004206807.tif 000003
【図２】
2004206807.tif 000004
【図３】
2004206807.tif 000005
【図４】
2004206807.tif 000006
【図５】
2004206807.tif 000007
【図６】
2004206807.tif 000008
【図７】
2004206807.tif 000009
【図８】
2004206807.tif 000010
【図９】
2004206807.tif 000011